【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】コンテンツのダウンロード方法、コンテンツのダウンロードプログラム、コンテンツのダウンロードプログラムを記録する記録媒体、および携帯電話
【手続補正２】
【補正対象書類名】明細書
【補正対象項目名】特許請求の範囲
【補正方法】変更
【補正の内容】
【特許請求の範囲】
【請求項１】
識別情報を含む領域と、構成要素を含む領域とからなるコンテンツをダウンロードする方法であって、
前記コンテンツの前記識別情報を含む領域を取得する識別情報取得ステップと、
前記コンテンツより取得したコンテンツ識別情報と、前記コンテンツをダウンロードする端末装置の端末識別情報とが合致する場合に、前記コンテンツのダウンロードの継続を許可する許可ステップとを備える、コンテンツのダウンロード方法。
【請求項２】
前記許可ステップは、前記コンテンツ識別情報と前記端末識別情報とが全て合致する場合に、前記コンテンツのダウンロードの継続を許可する、請求項１に記載のコンテンツのダウンロード方法。
【請求項３】
前記許可ステップは、前記コンテンツ識別情報と前記端末識別情報とが少なくとも１つでも合致する場合に、前記コンテンツのダウンロードの継続を許可する、請求項１に記載のコンテンツのダウンロード方法。
【請求項４】
前記識別情報取得ステップは、前記コンテンツの前記識別情報を含む領域のうちの所定領域を取得し、
前記許可ステップは、前記所定領域内に含まれる前記コンテンツ識別情報が前記端末識別情報に合致する場合に、前記コンテンツのダウンロードの継続を許可する、請求項１〜３のいずれかに記載のコンテンツのダウンロード方法。
【請求項５】
前記識別情報は、前記コンテンツの属性を示す情報である、請求項１〜４のいずれかに記載のコンテンツのダウンロード方法。
【請求項６】
前記識別情報は、前記コンテンツの著作権情報である、請求項１〜４のいずれかに記載のコンテンツのダウンロード方法。
【請求項７】
前記識別情報は、前記コンテンツの再生が可能な端末装置に固有の情報である、請求項１〜４のいずれかに記載のコンテンツのダウンロード方法。
【請求項８】
前記識別情報は、前記コンテンツが配信される地域を表わす情報である、請求項１〜４のいずれかに記載のコンテンツのダウンロード方法。
【請求項９】
識別情報を含む領域と、構成要素を含む領域とからなるコンテンツのダウンロード方法をコンピュータに実行させるコンテンツのダウンロードプログラムであって、
前記コンテンツの前記識別情報を含む領域を取得する識別情報取得ステップと、
前記コンテンツより取得したコンテンツ識別情報と、前記コンテンツをダウンロードする端末装置の端末識別情報とが合致する場合に、前記コンテンツのダウンロードの継続を許可する許可ステップとを実行させる、コンテンツのダウンロードプログラム。
【請求項１０】
前記許可ステップは、前記コンテンツ識別情報と前記端末識別情報とが全て合致する場合に、前記コンテンツのダウンロードの継続を許可する、請求項９に記載のコンテンツのダウンロードプログラム。
【請求項１１】
前記許可ステップは、前記コンテンツ識別情報と前記端末識別情報とが少なくとも１つでも合致する場合に、前記コンテンツのダウンロードの継続を許可する、請求項９に記載のコンテンツのダウンロードプログラム。
【請求項１２】
前記識別情報取得ステップは、前記コンテンツの前記識別情報を含む領域のうちの所定領域を取得し、
前記許可ステップは、前記所定領域内に含まれる前記コンテンツ識別情報が前記端末識別情報に合致する場合に、前記コンテンツのダウンロードの継続を許可する、請求項９〜１１のいずれかに記載のコンテンツのダウンロードプログラム。
【請求項１３】
前記識別情報は、前記コンテンツの属性を示す情報と、前記コンテンツの著作権情報と、前記コンテンツの再生が可能な端末装置に固有の情報と、前記コンテンツが配信される地域を表わす情報との少なくとも１つを含む、請求項９〜１１のいずれかに記載のコンテンツのダウンロードプログラム。
【請求項１４】
請求項９〜１３のいずれかに記載のコンテンツのダウンロードプログラムを記録する、コンピュータ読取可能な記録媒体。
【請求項１５】
コンテンツの識別情報を含む領域を取得する識別情報取得手段と、
前記コンテンツより取得したコンテンツ識別情報と、当該携帯電話の端末識別情報とが合致する場合に、前記コンテンツのダウンロードの継続を許可する許可手段とを備える、携帯電話。
【請求項１６】
前記許可手段は、前記コンテンツ識別情報と前記端末識別情報とが全て合致する場合に、前記コンテンツのダウンロードの継続を許可する、請求項１５に記載の携帯電話。
【請求項１７】
前記許可手段は、前記コンテンツ識別情報と前記端末識別情報とが少なくとも１つでも合致する場合に、前記コンテンツのダウンロードの継続を許可する、請求項１５に記載の携帯電話。
【請求項１８】
前記識別情報取得手段は、前記コンテンツの前記識別情報を含む領域のうちの所定領域を取得し、
前記許可手段は、前記所定領域内に含まれる前記コンテンツ識別情報が前記端末識別情報に合致する場合に、前記コンテンツのダウンロードの継続を許可する、請求項１５〜１７のいずれかに記載の携帯電話。
【請求項１９】
前記識別情報は、前記コンテンツの属性を示す情報と、前記コンテンツの著作権情報と、前記コンテンツの再生が可能な端末装置に固有の情報と、前記コンテンツが配信される地域を表わす情報との少なくとも１つを含む、請求項１５〜１７のいずれかに記載の携帯電話。
【手続補正３】
【補正対象書類名】明細書
【補正対象項目名】０００１
【補正方法】変更
【補正の内容】
【０００１】
【発明の属する技術分野】
この発明はコンテンツのダウンロード方法、コンテンツのダウンロードプログラム、コンテンツのダウンロードプログラムを記録する記録媒体、および携帯電話に関し、特に、適切なコンテンツのダウンロードを実現するコンテンツのダウンロード方法、コンテンツのダウンロードプログラム、コンテンツのダウンロードプログラムを記録する記録媒体、および携帯電話に関する。
【手続補正４】
【補正対象書類名】明細書
【補正対象項目名】００１０
【補正方法】変更
【補正の内容】
【００１０】
本発明は、これらの問題に鑑みてなされたものであって、端末装置で再生不可能なコンテンツがダウンロードされることを防ぎ、適切なコンテンツのみダウンロードすることができるコンテンツのダウンロード方法、コンテンツのダウンロードプログラム、コンテンツのダウンロードプログラムを記録する記録媒体、および携帯電話を提供することを目的とする。
【手続補正５】
【補正対象書類名】明細書
【補正対象項目名】００１４
【補正方法】変更
【補正の内容】
【００１４】
また、上述の識別情報取得ステップは、コンテンツの識別情報を含む領域のうちの所定領域を取得し、許可ステップは、所定領域内に含まれるコンテンツ識別情報が端末識別情報に合致する場合に、コンテンツのダウンロードの継続を許可することが望ましい。
なお、上記識別情報としては、データ形式等のコンテンツの属性を示す情報、作者等を示す著作権情報、コンテンツの再生が可能な端末装置に固有の情報、コンテンツが配信される地域を表わす地域情報などであることが好ましい。
【手続補正６】
【補正対象書類名】明細書
【補正対象項目名】００１８
【補正方法】変更
【補正の内容】
【００１８】
また、上述の識別情報取得ステップは、コンテンツの識別情報を含む領域のうちの所定領域を取得し、許可ステップは、所定領域内に含まれるコンテンツ識別情報が端末識別情報に合致する場合に、コンテンツのダウンロードの継続を許可することが望ましい。
なお、上記識別情報としては、データ形式等のコンテンツの属性を示す情報、作者等を示す著作権情報、コンテンツの再生が可能な端末装置に固有の情報、コンテンツが配信される地域を表わす地域情報などであることが好ましい。
本発明のさらに他の局面に従うと、携帯電話は、コンテンツの識別情報を含む領域を取得する識別情報取得手段と、コンテンツより取得したコンテンツ識別情報と、当該携帯電話の端末識別情報とが合致する場合に、コンテンツのダウンロードの継続を許可する許可手段とを備える。
また、上記許可手段は、コンテンツ識別情報と端末識別情報とが全て合致する場合に、コンテンツのダウンロードの継続を許可することが望ましい。
または、上記許可手段は、コンテンツ識別情報と端末識別情報とが少なくとも１つでも合致する場合に、コンテンツのダウンロードの継続を許可することが望ましい。
また、上記識別情報取得手段は、コンテンツの識別情報を含む領域のうちの所定領域を取得し、許可手段は、所定領域内に含まれるコンテンツ識別情報が端末識別情報に合致する場合に、コンテンツのダウンロードの継続を許可することが望ましい。
なお、上記識別情報としては、データ形式等のコンテンツの属性を示す情報、作者等を示す著作権情報、コンテンツの再生が可能な端末装置に固有の情報、コンテンツが配信される地域を表わす地域情報などであることが好ましい。